(57)【要約】【課題】デジタル放送の受信ができなくなった場合に急激な音質の変化を抑制して同一内容のアナログ放送を提供することが可能な「放送受信装置」を提供すること。【解決手段】放送受信装置は、デジタル放送チューナと、アナログ放送チューナと、ＭＰＥＧオーディオ信号を出力するデジタル信号処理部と、ＦＭ／ＡＭオーディオ信号を出力するアナログ信号処理部と、出力オーディオ信号を生成するオーディオＤＳＰと、制御部とを有する。制御部は、デジタル信号処理部からデジタル放送信号の受信品質を取得して、受信品質に基づいてデジタル信号処理部にＭＰＥＧオーディオ信号の出力チャンネル数を段階的に増減させてＭＰＥＧオーディオ信号を出力し、オーディオＤＳＰにＭＰＥＧオーディオ信号と同一のＦＭ／ＡＭオーディオ信号に切り替えさせて、ＦＭ／ＡＭオーディオ信号を出力する。【選択図】図２
2010287970.tif 000002
【特許請求の範囲】
【請求項１】
デジタルオーディオ放送を受信するデジタル放送チューナと、
前記デジタルオーディオ放送と並行してアナログオーディオ放送を受信するアナログ放送チューナと、
前記デジタル放送チューナから出力された放送信号を信号処理してＭＰＥＧオーディオ信号を出力するデジタル信号処理部と、
前記アナログ放送チューナから出力された放送信号を信号処理してＦＭ／ＡＭオーディオ信号を出力するアナログ信号処理部と、
前記ＭＰＥＧオーディオ信号とＦＭ／ＡＭオーディオ信号を信号処理して出力オーディオ信号を生成するオーディオＤＳＰと、
前記デジタル放送チューナ、アナログ放送チューナ、デジタル信号処理部、アナログ信号処理部及びオーディオＤＳＰを制御する制御部と、
を有し、
前記制御部は、前記デジタル信号処理部から前記デジタル放送信号の受信品質を取得して、当該受信品質に基づいて前記デジタル信号処理部に前記ＭＰＥＧオーディオ信号の出力チャンネル数を段階的に増減させて当該ＭＰＥＧオーディオ信号を出力し、前記オーディオＤＳＰに当該ＭＰＥＧオーディオ信号と同一のＦＭ／ＡＭオーディオ信号に切り替えさせて、当該ＦＭ／ＡＭオーディオ信号を出力することを特徴とする放送受信装置。
【請求項２】
前記制御部は、前記デジタル信号処理部に前記ＭＰＥＧオーディオ信号の出力チャンネル数を５から２に減少させることを特徴とする請求項１に記載の放送受信装置。
【請求項３】
前記制御部は、前記デジタル信号処理部に前記ＭＰＥＧオーディオ信号の出力チャンネル数を５、２、１と順次減少させることを特徴とする請求項２に記載の放送受信装置。
【請求項４】
前記デジタル信号処理部は、前記出力チャンネル数を減少させるとき、一のチャンネルに混合させる他のチャンネルのオーディオ信号を所定の割合毎に順次混合させることを特徴とする請求項２又は３に記載の放送受信装置。
【請求項５】
前記制御部は、前記オーディオＤＳＰに、ＦＭオーディオ信号を遅延させて出力チャンネル数が１の前記ＭＰＥＧオーディオ信号と同一の信号に切り替えさせることを特徴とする請求項４に記載の放送受信装置。
【請求項６】
前記制御部は、受信したＦＭ放送信号がステレオ放送のとき、前記オーディオＤＳＰにＦＭ擬似サラウンド信号を生成させ、当該ＦＭ擬似サラウンド信号を遅延させて出力チャンネル数が２の前記ＭＰＥＧオーディオ信号と同一の信号に切り替えさせることを特徴とする請求項５に記載の放送受信装置。
【請求項７】
前記制御部は、前記オーディオＤＳＰに、ＦＭ擬似サラウンド信号からＦＭステレオ信号に切り替えさせることを特徴とする請求項６に記載の放送受信装置。
【請求項８】
前記制御部は、前記デジタル放送チューナで受信する電波の受信強度が所定値よりも低いとき、前記出力チャンネル数を減少させることを特徴とする請求項１に記載の放送受信装置。
【請求項９】
前記制御部は、前記デジタル放送チューナで受信する電波の受信強度が所定値以上になったとき、前記出力チャンネル数を増加させることを特徴とする請求項８に記載の放送受信装置。
【発明の詳細な説明】
【技術分野】
【０００１】
本発明は、放送受信装置に関し、特に、デジタル放送及びアナログ放送を受信し、デジタル放送の電波受信状況が悪化しても放送を途切れることなく受信可能な放送受信装置に関する。
【背景技術】
【０００２】
近年、デジタルオーディオはその優れた特性が一般に認められ、急速に普及してきている。特に、ヨーロッパ地域では、デジタル音声放送がＤＡＢ(Digital Audio Broadcasting)システムとして実用化されている。
【０００３】
ところで、アナログ放送の場合は、電波受信状況がある程度悪くなっても移動体受信装置等で視聴している番組の映像や音声が完全に途切れることは少なく、ノイズが混じることはあっても、放送内容を理解することが可能なことが多い。これに対し、デジタル放送の場合は、電波受信状況が悪くなると映像や音声が完全に途切れてしまうので、その間の放送内容を把握することはできない。
【０００４】
このようなデジタル放送による出力音声が突然途切れることに対して、種々の対策が検討されている。例えば、特許文献１には、ビットエラーレートに応じて、Ｌチャンネル信号とＲチャンネル信号とを合成することによりセパレーション特性を劣化させて音声信号に対応する音声の音質を低下させる技術が記載されている。
【０００５】
また、特許文献２には、電界強度に応じて、高周波数側のカットオフ周波数をデジタルオーディオ放送で放送されるオーディオ信号の音声帯域の上限である２０ｋＨｚからアナログオーディオ放送で放送されるオーディオ信号の音声帯域の上限の１５ｋＨｚに変更する技術が記載されている。
【０００６】
また、特許文献３には、デジタル及びアナログのラジオ放送のオーディオ切替を実施するとき、デジタルラジオのオーディオ信号に代えて、デジタル及びアナログのラジオ放送のオーディオ周波数特性を整合させた信号を使用する技術が記載されている。
【先行技術文献】
【特許文献】
【０００７】
【特許文献１】特開２００７−０９６８０２号公報
【特許文献２】特開２００４−２８９７８１号公報
【特許文献３】特開２００６−１０９１２１号公報
【発明の概要】
【発明が解決しようとする課題】
【０００８】
上記したように、デジタル放送とアナログ放送の切り替えにおいて、音声が突然途切れることによる不快感の軽減を図るために種々の方法が検討されている。ただし、上記した方法はいずれも出力音声の周波数特性に着目しており、デジタル放送とアナログ放送の切り替えの際に、デジタル信号出力とアナログ信号出力との間で周波数特性を近似させるようにしている。
【０００９】
本発明は、出力音声の周波数特性以外の観点に基づき、デジタル放送の受信ができなくなった場合に急激な音質の変化を抑制して同一内容のアナログ放送を提供することが可能な放送受信装置を提供することを目的とする。
【課題を解決するための手段】
【００１０】
上述した従来技術の課題を解決するため、本発明の一形態によれば、デジタルオーディオ放送を受信するデジタル放送チューナと、前記デジタルオーディオ放送と並行してアナログオーディオ放送を受信するアナログ放送チューナと、前記デジタル放送チューナから出力された放送信号を信号処理してＭＰＥＧオーディオ信号を出力するデジタル信号処理部と、前記アナログ放送チューナから出力された放送信号を信号処理してＦＭ／ＡＭオーディオ信号を出力するアナログ信号処理部と、前記ＭＰＥＧオーディオ信号とＦＭ／ＡＭオーディオ信号を信号処理して出力オーディオ信号を生成するオーディオＤＳＰと、前記デジタル放送チューナ、アナログ放送チューナ、デジタル信号処理部、アナログ信号処理部及びオーディオＤＳＰを制御する制御部と、を有し、前記制御部は、前記デジタル信号処理部から前記デジタル放送信号の受信品質を取得して、当該受信品質に基づいて前記デジタル信号処理部に前記ＭＰＥＧオーディオ信号の出力チャンネル数を段階的に増減させて当該ＭＰＥＧオーディオ信号を出力し、前記オーディオＤＳＰに当該ＭＰＥＧオーディオ信号と同一のＦＭ／ＡＭオーディオ信号に切り替えさせて、当該ＦＭ／ＡＭオーディオ信号を出力することを特徴とする放送受信装置が提供される。
【００１１】
この形態に係る放送受信装置において、前記制御部は、前記デジタル信号処理部に前記ＭＰＥＧオーディオ信号の出力チャンネル数を５から２に減少させるようにしてもよく、前記制御部は、前記デジタル信号処理部に前記ＭＰＥＧオーディオ信号の出力チャンネル数を５、２、１と順次減少させるようにしてもよく、前記デジタル信号処理部は、前記出力チャンネル数を減少させるとき、一のチャンネルに混合させる他のチャンネルのオーディオ信号を所定の割合毎に順次混合させるようにしてもよい。
【００１２】
また、この形態に係る放送受信装置において、前記制御部は、前記オーディオＤＳＰに、ＦＭオーディオ信号を遅延させて出力チャンネル数が１の前記ＭＰＥＧオーディオ信号と同一の信号に切り替えさせるようにしてもよく、前記制御部は、受信したＦＭ放送信号がステレオ放送のとき、前記オーディオＤＳＰにＦＭ擬似サラウンド信号を生成させ、当該ＦＭ擬似サラウンド信号を遅延させて出力チャンネル数が２の前記ＭＰＥＧオーディオ信号と同一の信号に切り替えさせるようにしてもよく、前記制御部は、前記オーディオＤＳＰに、ＦＭ擬似サラウンド信号からＦＭステレオ信号に切り替えさせるようにしてもよい。
【００１３】
さらに、この形態に係る放送受信装置において、前記制御部は、前記デジタル放送チューナで受信する電波の受信強度が所定値よりも低いとき、前記出力チャンネル数を減少させるようにしてもよく、前記制御部は、前記デジタル放送チューナで受信する電波の受信強度が所定値以上になったとき、前記出力チャンネル数を増加させるようにしてもよい。
【発明の効果】
【００１４】
本発明においては、デジタル放送の受信品質が悪化したとき、デジタル放送と同一内容のアナログ放送に切り替える際に、出力音声チャンネル数を段階的に減少させている。デジタル音声からアナログ音声への切り替えの際には、アナログ放送を遅延させて放送内容に切れ目がなくなるようにしている。これにより、デジタル放送からアナログ放送へ急激な音質の変化がなくなり、ユーザに不快感を与えることを防止することができる。
【００１５】
また、出力音声チャンネル数が少なくなることにより音質が徐々に変化（劣化）していくため、アナログ放送に切り替わることを事前に予測することが可能となる。
【図面の簡単な説明】
【００１６】
【図１】本発明の実施形態に係る放送受信装置の構成を示すブロック図である。
【図２】出力音声を滑らかに変化させる方法を説明する概念図（その１）である。
【図３】出力音声を滑らかに変化させる方法を説明する概念図（その２）である。
【図４】受信品質と経過時間との関係の一例を示す図である。
【図５】実施形態に係る放送受信装置における音質調整処理の一例を示すフローチャートである。
【図６】図５のフローチャートにおける、出力音声のダウンミックス処理ルーチンの一例を示すフローチャートである。
【図７】図５のフローチャートにおける、出力音声のアップミックス処理ルーチンの一例を示すフローチャートである。
【発明を実施するための形態】
【００１７】
以下、本発明の実施の形態について、図面を参照して説明する。
【００１８】
図１は、本発明の実施形態に係る放送受信装置の構成を示すブロック図である。この図１に示すように、放送受信装置１０は、ＤＡＢ(Digital Audio Broadcasting)チューナ１１と、ＤＡＢデコーダ１２と、ＭＰＥＧデコーダ１３と、ＦＭ／ＡＭチューナ１４と、ＦＭ／ＡＭデコーダ１５と、オーディオＤＳＰ１６と、スピーカー１９と、操作部２０と、制御部１７により構成されている。
【００１９】
ＤＡＢチューナ１１は、制御部１７からの信号により受信チャンネルが設定され、受信した放送信号をＤＡＢデコーダ１２に出力する。
【００２０】
ＤＡＢチューナ１１は、受信アンテナ１８ａを介して受信したＤＡＢ放送信号を第１中間周波数信号に周波数変換する。周波数変換された第１中間周波数信号はＤＡＢ帯域幅に帯域制限され、帯域制限された第１中間周波数信号は第２中間周波数信号に周波数変換されて、Ａ／Ｄコンバータを介してデジタル変換される。
【００２１】
ＤＡＢデコーダ１２は、デジタル変換された第２中間周波数信号をＯＦＤＭ(Orthogonal Frequency Division Multiplexing：直交周波数分割多重)復調し、ＤＡＢデータをデコードする。
【００２２】
また、ＤＡＢデコーダ１２は、デジタルラジオ放送の受信品質を検出する品質検出部を有し、制御部１７に品質検出部で検出した受信状態（受信品質）を示す信号を出力する。
【００２３】
ＭＰＥＧデコーダ１３は、ＤＡＢデコーダ１２でデコードされたＤＡＢデータからオーディオデータをデコードして所定のフォーマットのシリアル信号に変換する。このオーディオデータはＤ／Ａコンバータを介してアナログデータに変換されて出力される。
【００２４】
また、ＭＰＥＧデコーダ１３では、出力音声のチャンネル数に応じたＭＰＥＧオーディオ信号の生成処理を行う。
【００２５】
ＦＭ／ＡＭチューナ１４は、ＤＡＢチューナ１１で選択された放送と同一内容の放送の受信チャンネルが設定され、受信した放送信号をＦＭ／ＡＭデコーダ１５に出力する。また、ＦＭ／ＡＭチューナ１４では検波回路を備えており、モノラル放送或いはステレオ放送の指標であるパイロット信号を含むステレオコンポジット信号の検波信号を出力する。      
【００２６】
ＦＭ／ＡＭデコーダ１５は、ＦＭ／ＡＭチューナ１４の出力信号からパイロット信号の有無を検出すると共に、パイロット信号を基準にステレオコンポジット信号をステレオ復調し、左右のオーディオ信号を出力する。また、パイロット信号が検出されなかった場合は、ステレオ復調することなくモノラル信号を出力する。
【００２７】
オーディオＤＳＰ１６は、ＭＰＥＧオーディオ信号と同一内容のＦＭ／ＡＭオーディオ信号を検出して、同期をとってＭＰＥＧオーディオ信号を出力する処理を行う。
【００２８】
また、オーディオＤＳＰ１６は、ＡＭ／ＦＭデコーダ１５から出力される左右のオーディオ信号が入力され、スピーカー出力音の臨場感や立体感を持たせるために、左右の信号を差分したり、混合したり、遅延させたりする信号処理を行って、２ｃｈのステレオ信号から反射音や残響音が含まれた擬似的な５．１ｃｈのサラウンド信号を生成することが可能となっている。また、ＡＭ／ＦＭデコーダ１５からモノラル信号が出力された場合には、モノラル信号或いはステレオ信号をそのまま出力することが可能となっている。
【００２９】
オーディオＤＳＰから出力されたオーディオ信号を増幅してスピーカー１９に供給する。これにより、スピーカーから音声又は音楽等が出力される。
【００３０】
操作部２０には、放送受信装置１０の操作に必要な操作ボタン等が設けられている。制御部１７は、操作部２０からの信号に応じてＤＡＢチューナ１１で受信するチャンネルを設定したり、ＤＡＢデコーダ１２、ＭＰＥＧデコーダ１３、ＦＭ／ＡＭデコーダ１５及びオーディオＤＳＰ１６を制御する。また、制御部１７はメモリ２１を有し、メモリ２１には、デジタル放送の放送チャンネルと、この放送チャンネルと同一の番組を放送するアナログ放送の放送チャンネルを対応づけた番組対応表が記憶されている。
【００３１】
さらに、制御部１７は、ＤＡＢデコーダ１２から入力したデジタル放送の受信品質を示す信号に基づいて、受信状態が良好か否かを判定する。そして、受信状態が悪いと判定したとき、例えば電波の受信強度が所定値よりも低いときには、ＤＡＢの音声出力チャンネル数を段階的に少なくするようにＭＰＥＧデコーダ１３に指示を与える。また、ＦＭ／ＡＭデコーダ１５から放送信号がＦＭステレオかＦＭモノラルかの情報を取得し、ＤＡＢからアナログ放送への切り替えをステレオかモノラルに応じて行うようにオーディオＤＳＰ１６に指示を与える。
【００３２】
このように構成された放送受信装置１０において、高音質のデジタル放送の受信状況が悪化したとき、デジタル放送からアナログ放送への切り替えを、音声出力チャンネル数を段階的に少なくして、ユーザにとって違和感のない滑らかな音質変化をさせるようにしている。
【００３３】
以下に、この音質調整処理について図２から図４を参照しながら説明する。
【００３４】
制御部１７では、デジタル放送の受信品質を取得し、受信品質が予め設定しておいた品質レベルに低下したときに、オーディオ出力信号をデジタル信号から段階的に品質を低下させてアナログ信号になるように制御する。そして、デジタル放送の受信品質のレベルが所定のレベルに復活したときに、デジタル信号からアナログ信号に変化させた処理と逆の処理を段階的に行い、アナログ信号からデジタル信号に変化させる。
【００３５】
この閾値となる品質レベルは、デジタル放送のノイズが大きく聞き取れない場合やデジタル放送が聴取できない状態になる前のレベルに予め設定しておく。すなわち、デジタル放送の品質が悪くなるであろうことを予測して、ノイズが大きくなったり完全に聞こえなくなる前に音質の変化を極力抑えながらアナログ放送に切り替える。
【００３６】
なお、デジタルオ放送の受信品質は、受信電波の電界強度や、復調信号を復号して得られる信号のビットエラーレート等から検出することができる。
【００３７】
図２は、５ｃｈのデジタル信号からアナログ信号に切り替えるときの出力音声状態の遷移の一例を示している。この処理は制御部１７からの指示に基づき、ＭＰＥＧデコーダ１３においてマルチチャンネルのデジタル音声をダウンミックスする処理が行われ、オーディオＤＳＰ１６においてデジタル音声からアナログ音声への切り替えが行われる。
【００３８】
図２では、出力音声状態遷移の２つの系列を示している。系列１は受信したＦＭ放送がモノラルの場合のチャンネル数調整処理を示し、系列２は、受信したＦＭ放送がステレオの場合のチャンネル数調整処理を示している。
【００３９】
系列１は、ＭＰＥＧ５．１ｃｈ（ＳＴ１１）→ＭＰＥＧダウンミックス（２ｃｈ）（ＳＴ１２）→ＭＰＥＧモノラル（ＳＴ１３）→ＦＭモノラル（ＳＴ１４）に段階的に出力音声チャンネル数を変化させる系列であり、系列２は、ＭＰＥＧ５．１ｃｈ（ＳＴ１１）→ＭＰＥＧダウンミックス（２ｃｈ）（ＳＴ１２）→ＦＭ擬似サラウンド（ＳＴ１５）→ＦＭステレオ（ＳＴ１６）に段階的に出力音声チャンネル数を変化させる系列である。
【００４０】
以下に、系列１について説明する。ＭＰＥＧ５．１ｃｈ（ＳＴ１１）の状態では、デジタル音声信号がＡからＥまでの５チャンネルに分割されている。この５チャンネルのうち、Ａチャンネル、Ｂチャンネル及びＤチャンネルの音声信号（ａ，ｂ，ｄ）を１チャンネルに混合し、同時に、Ａチャンネル、Ｃチャンネル及びＥチャンネルの音声信号（ａ，ｃ，ｅ）を１チャンネルに混合して、出力音声状態ＳＴ１２では合計２チャンネルとしている。次に、出力音声状態ＳＴ１３では、これらの音声信号（ａ，ｂ，ｃ，ｄ，ｅ）を１チャンネルに混合している。
【００４１】
ここで、図３を参照してＭＰＥＧデコーダ１３におけるデジタル放送のオーディオ信号の音声出力チャンネル数を調整する処理について説明する。
【００４２】
図３は、チャンネルＢのスピーカーにおける、ＭＰＥＧ５．１ｃｈからＭＰＥＧモノラルにするまでの出力音声状態の変化を概念的に示した図である。
【００４３】
ＭＰＥＧ５．１ｃｈ（ＳＴ２１）のときは、各チャンネル（Ａ〜Ｅ）のスピーカーからそれぞれ異なる音（ａ〜ｅ）が出力されている。ＭＰＥＧ５．１ｃｈ（ＳＴ２１）からＭＰＥＧダウンミックス（ＳＴ２３）にするために、Ａチャンネルの音ａ及びＤチャンネルの音ｄをＢチャンネルの音ｂと混合させる。同時にＡチャンネルの音ａ及びＥチャンネルの音ｅをＣチャンネルの音ｃと混合させる。この状態にする過程ではＳＴ２２に示すように、チャンネルＢの音ｂだけが出力されていた状態から、チャンネルＡの音ａ及びチャンネルＤの音ｄを徐々に増やしていくように制御する。例えば、出力音声状態ＳＴ２２ではチャンネルＢにチャンネルＤの音ｄが５０％含まれ、チャンネルＡの音ａが５０％含まれた状態となっている。このように、音の割合を徐々に増加させて行き、出力音声状態ＳＴ２３に示すようにＭＰＥＧダウンミックスに遷移させる。
【００４４】
例えば、元のチャンネルＡ，Ｂ、Ｄのオーディオ信号をそれぞれＸ（Ａ），Ｘ（Ｂ），Ｘ（Ｄ）とし、調整後のチャンネルＢのオーディオ信号をＹ（Ｂ）とすると、Ｙ（Ｂ）＝Ｘ（Ｂ）＋αＸ（Ａ）＋βＸ（Ｄ）と表すことができる。この式において、α及びβは音声信号の混合割合を示す定数である。チャンネル数の調整においてＭＰＥＧダウンミックスの状態ではα＝β＝１となる。
【００４５】
ここでは、α及びβを最初から１に設定するのではなく、例えば、初期値を０．１とし、０．１毎に１まで値を変化させるようにする。これにより、ＭＰＥＧ５．１ｃｈからＭＰＥＧダウンミックスに遷移するまでに各スピーカーから出力される音質の変化を滑らかにすることができる。
【００４６】
上記の処理がチャンネルＤ、チャンネルＣ及びチャンネルＥについても同様に行われる。その結果、ＭＰＥＧダウンミックス（ＳＴ２３）の状態では、チャンネルＢからは音ａ＋ｂ＋ｄが出力され、チャンネルＣからは音ａ＋ｃ＋ｅが出力される。
【００４７】
さらに、出力音声状態ＳＴ２３から途中の状態ＳＴ２４を経てＭＰＥＧモノラルの出力音声状態ＳＴ２５に遷移させる。
【００４８】
次に、デジタル音声からアナログ音声への切り替えについて説明する。
【００４９】
図２に示したように、系列１では、デジタル音声を出力するＭＰＥＧモノラル（ＳＴ１３）からアナログ音声を出力するＦＭモノラル（ＳＴ１４）に出力音声状態を遷移させている。
【００５０】
デジタル受信機が受信するオーディオ信号は、アナログ受信機が受信するオーディオ信号より遅延しやすい。このデジタル受信機における遅延は、移動通信チャンネルにおけるフェージングにより生じる歪みを低減するために必要な時間的なインタリーブ処理により生じる。
【００５１】
放送受信装置１０では、ＤＡＢチューナ１１が現在の放送プログラムを受信し、ＦＭ／ＡＭチューナ１４はＦＭ／ＡＭ方式によって同じ放送プログラムを受信している。２つの放送方式に基づくオーディオ信号間には時間差が存在するため、ＤＡＢチューナ１１からＦＭ／ＡＭチューナ１４へのオーディオ信号の切り替え時に歪みが生じないように処理をすることが必要となる。すなわち、デジタル音声（ＭＰＥＧダウンミックスやＭＰＥＧモノラル）と同じ音声が検出されても、即時にＦＭ擬似サラウンドやＦＭモノラルに切り替えず、ＦＭを遅延させ、デジタル放送からアナログ放送の切り替えの際に、出力音声が途切れることのないようにする。
【００５２】
オーディオＤＳＰ１６において、ＤＡＢチューナ１１により出力されるＤＡＢオーディオ信号とＦＭ／ＡＭチューナ１４より出力されるＦＭオーディオ信号とのずれを調整する処理を行う。例えば、ＤＡＢオーディオ信号とＦＭオーディオ信号の相関を調べ、相関ピーク値からＤＡＢオーディオ信号とＦＭオーディオ信号の時間差を算出する。
【００５３】
ＤＡＢ出力信号とＦＭ出力信号との時間差は相関ピーク値から算出された時間だけＦＭ出力信号を遅延させることにより無くすようにする。
【００５４】
上記した一連の処理は、系列２についても同様に行う。ただし、系列２では、ＭＰＥＧダウンミックスの次の状態は、アナログＦＭ信号に移行する。この場合、デジタル信号とアナログ信号との聴感上の差を小さくするため、ＦＭ擬似サラウンドをオーディオＤＳＰ１６で生成して、ＭＰＥＧダウンミックス（ＳＴ１２）からＦＭ擬似サラウンド（ＳＴ１５）を経てＦＭステレオ（ＳＴ１６）に遷移するようにしている。
【００５５】
また、系列１で説明したように、デジタル信号とアナログ信号との時間差を補償する処理を、音声出力状態ＳＴ１２とＳＴ１５の間でも行う。
【００５６】
なお、系列２のＦＭステレオ（ＳＴ１６）と系列１のＦＭモノラル（ＳＴ１４）との間を遷移可能にして、音声出力状態ＳＴ１６からＳＴ１４に遷移させるようにしてもよい。
【００５７】
このように、デジタル信号からアナログ信号の出力までに、チャンネル数を徐々に減らしていくようにしているため、音質が急激に変化することなく、ユーザにとってはデジタル放送からアナログ放送への切り替わりにおける音声出力を違和感なく聴取することが可能となる。
【００５８】
デジタル放送が所定の受信品質に回復したときは、上記の処理と逆の順でアナログ信号からデジタル信号へチャンネル数の変換処理を行う。
【００５９】
図４は、受信品質と経過時間との関係の一例を示している。図４に示すように、受信品質が良好の場合はＭＰＥＧ５．１ｃｈにより音声出力されている。ある時点、例えば図４のＴ１でデジタル放送の受信品質が閾値Ｌ１になったとすると、出力チャンネル数を徐々に減少させて行き、さらに、デジタル放送からアナログ放送へと切り替えていく。時間が経過した後、デジタル放送の受信品質が回復したときには、アナログ放送からデジタル放送のＭＰＥＧ５．１ｃｈにいきなり切り替えるのではなく、図４の曲線に示すように、アナログ放送からデジタル放送に移行させた後、デジタル放送の出力チャンネル数を徐々に増加させて行く。
【００６０】
次に、放送受信装置における音質を調整する方法について図５から図７のフローチャートを参照して説明する。
【００６１】
まず、図５のステップＳ１１において、デジタル放送及びデジタル放送と同内容のアナログ放送を受信し、デジタル放送を音声出力する。すなわち、ユーザが放送受信装置１０の操作部２０を操作して所望のチャンネルを設定すると、制御部１７はＤＡＢチューナ１１を制御して、設定されたチャンネルの放送の受信を開始する。これと同時に、制御部１７はＦＭ／ＡＭチューナ１４を制御して、ＤＡＢチューナ１１で設定されたチャンネルの放送と同一の内容の放送を受信する。
【００６２】
次に、ステップＳ１２において、デジタル放送の受信品質を検出する。デジタル放送の受信品質の指標として、例えば電界強度やビットエラーレートが使用される。
【００６３】
次に、ステップＳ１３において、デジタル放送の受信品質が所定のレベル未満か否かを判定する。例えば受信品質として電界強度を採用している場合には、電界強度が予め定めた所定の電界強度未満のとき、受信品質が劣化していると判定する。また、ビットエラーレートを受信品質の指標としている場合は、ビットエラーレートが所定の値以下のとき受信品質が劣化していると判定する。受信品質が所定のレベルを満たしているときは、ステップＳ１１に戻り、受信しているデジタル放送の出力を継続し、受信品質が所定のレベルを満たしていないときは、ステップＳ１４に移行する。
【００６４】
次のステップＳ１４において、出力音声のダウンミックス処理を行う。図６は出力音声のダウンミックス処理の一例を示したフローチャートである。
【００６５】
図６（ａ）のステップＳ２１において、デジタル信号であるＭＰＥＧ５．１ｃｈをデジタル信号のＭＰＥＧ２ｃｈにチャンネル数を減少させて出力する。５．１ｃｈから２ｃｈに変更する際には、５つのチャンネルのうちのどのチャンネルの音声を混合させるかを予め決めておく。この混合の処理の際には、一のチャンネルに混合させる他のチャンネルの音声信号を所定の割合毎に順次混合させるようにする。
【００６６】
次にステップＳ２２において、デジタル信号のＭＰＥＧ２ｃｈをデジタル信号のＭＰＥＧ１ｃｈにチャンネル数を減少させて出力する。２ｃｈから１ｃｈに変更する際には、２つのチャンネルのすべての音声を混合して１チャンネルにする。この場合にも、一のチャンネルに混合させる他のチャンネルの音声信号を所定の割合毎に順次混合させるようにする。
【００６７】
次にステップＳ２３において、デジタル信号のＭＰＥＧ１ｃｈからアナログのＦＭ１ｃｈに変更して出力する。ＭＰＥＧからＦＭに変更する際には、ＦＭ信号を遅延させ、ＭＰＥＧの出力と同期させるようにして出力する。
【００６８】
以上の処理によって同一の放送内容がデジタル放送からアナログ放送へ切り替わる。この切り替わりにおいては、チャンネル数を徐々に減少して音質を劣化させるようにしているため、急激な音質の変化を防止することができる。
【００６９】
受信したＦＭ放送がステレオ放送の場合には、図６（ａ）の処理に代えて、図６（ｂ）の処理を行う。この処理では、図６（ａ）とは異なり、ステップＳ３１において、ＭＰＥＧ２ｃｈからアナログのＦＭ２ｃｈに変更している。
【００７０】
図５に戻り、ステップＳ１５において、デジタル放送の受信品質が所定レベル以上になったか否かを判定する。所定レベルになっていなければ待機し、ステップＳ１４の処理において実施されたアナログ音声の出力を継続する。デジタル放送の受信品質が所定レベル以上になったと判定されたときは、ステップＳ１６に移行する。
【００７１】
次のステップＳ１６では、出力音声のアップミックス処理を行い、ステップＳ１１に戻り本処理を継続する。
【００７２】
図７は出力音声のアップミックス処理の一例を示したフローチャートである。
【００７３】
図７（ａ）のステップＳ４１において、アナログ信号のＦＭ１ｃｈからデジタル信号のＭＰＥＧ１ｃｈに変更して出力する。
【００７４】
次にステップＳ４２において、デジタル信号のＭＰＥＧ１ｃｈをデジタル信号のＭＰＥＧ２ｃｈにチャンネル数を増加させて出力する。
【００７５】
次にステップＳ４３において、デジタル信号のＭＰＥＧ２ｃｈからデジタル信号のＭＰＥＧ５．１ｃｈにチャンネル数を増加させて出力する。
【００７６】
以上の処理によって同一の放送内容がアナログ放送からデジタル放送へ切り替わる。この切り替わりにおいては、チャンネル数を徐々に増加して高音質にしているため、急激な音質の変化を防止することができる。
【００７７】
受信したＦＭ放送がステレオ放送の場合には、図７（ａ）の処理に代えて、図７（ｂ）の処理を行う。この処理では、図７（ａ）とは異なり、ステップＳ５１において、アナログのＦＭ２ｃｈからＭＰＥＧ２ｃｈに変更している。
【００７８】
以上説明したように、本実施形態の放送受信装置では、デジタル放送の受信品質が悪化したとき、デジタル放送と同一内容のアナログ放送に切り替える際に、出力音声チャンネル数を段階的に減少させている。デジタル音声からアナログ音声への切り替えの際には、アナログ放送を遅延させて放送内容に切れ目がなくなるようにしている。これにより、デジタル放送からアナログ放送へ急激な音質の変化がなくなり、ユーザに不快感を与えることを防止することができる。
【００７９】
また、出力音声チャンネル数が少なくなることにより音質が徐々に変化（劣化）していくため、アナログ放送に切り替わることを事前に予測することが可能となる。
【００８０】
なお、上記実施形態では、アナログ放送としてＦＭの場合を例にとって説明したが、ＡＭ放送の場合も同様に適用可能である。
【符号の説明】
【００８１】
１０…放送受信装置、
１１…ＤＡＢチューナ、
１２…ＤＡＢデコーダ（デジタル信号処理部）、
１３…ＭＰＥＧデコーダ（デジタル信号処理部）、
１４…ＦＭ／ＡＭチューナ、
１５…ＦＭ／ＡＭデコーダ（アナログ信号処理部）、
１６…オーディオＤＳＰ、
１７…制御部、
２０…操作部。
【図１】
2010287970.tif 000003
【図２】
2010287970.tif 000004
【図３】
2010287970.tif 000005
【図４】
2010287970.tif 000006
【図５】
2010287970.tif 000007
【図６】
2010287970.tif 000008
【図７】
2010287970.tif 000009